(57)【特許請求の範囲】
【請求項１】
先端側が被取付部材に当接し弾性力で前記被取付部材を保持する一対の弾性片と、前記両弾性片の基部を一体に連結する連結片と、一方の前記弾性片と前記連結片との連結部位に形成され電気機器本体に設けた固定孔に挿通される固定片と、他方の前記弾性片と前記連結片との連結部位から前記弾性片と反対方向に延出するとともに、延出部分の先端部が前記弾性片による弾性付勢方向と同一方向に突出し、前記固定片を前記固定孔に挿通し前記弾性付勢方向と同一方向に前記弾性片を撓ませた状態で前記電気機器本体に設けた係止孔に挿通されて、前記弾性片のばね反力で前記係止孔の端縁に係止する係止片とを備えたことを特徴とする取付部品。
【請求項２】
請求項１記載の取付部品と、前記取付部品が固定される電気機器本体と、前記電気機器本体に交換自在に取着された電気部品を前記電気機器本体との間に配置した状態で、前記取付部品を介して前記電気機器本体に取付けられる被取付部材とを備えたことを特徴とする電気機器。
【発明の詳細な説明】
【技術分野】
【０００１】
本発明は、被取付部材を保持して電気機器本体に取付けるための取付部品及びそれを用いた電気機器に関するものである。
【背景技術】
【０００２】
従来より、図４に示すように、照明器具のような電気機器Ｃにねじ１２で固定され、被取付部材Ａ、例えば反射板７等を保持する取付部品Ｂがあった。この取付部品Ｂは、先端側が互いに離れる方向に働く弾性力で反射板７を押圧保持する一対の弾性片１を備えており、電気機器Ｃの天板９にねじ１２で固定されている。各弾性片１の先端部には保持部１５を構成する保持片３及び傾斜片４がそれぞれ一体に形成されている。これらの保持部１５を反射板７に設けた一対の挿入孔（図示せず）に内側から挿入することで電気機器Ｃに反射板７が保持される。この取付部品Ｂでは、電気機器本体Ｃに取付ける際にねじ１２が必要であり、使用材料の増加や製品の生産性がよくないという問題があった。
【０００３】
そこで使用材料を削減するために、ねじやリベット等を使わずに電気機器本体に取付けられる取付部品が提案されている（例えば、特許文献１参照）。この取付部品は、一対の弾性片の一端側を互いに連結することによってＶ字状に形成されており、各弾性片の他端側から電気機器本体に設けた係止孔に係止する係止片がそれぞれ延出している。さらに各弾性片の中間位置には各係止片の延出方向と同じ方向に突出する挿入片がそれぞれ設けられている。そして断面Ｖ字状に形成された反射板の内側から取付部品を近づけると、各挿入片が反射板の各傾斜面に設けた挿入孔にそれぞれ挿入されて、反射板が取付部品に保持される。さらに挿入片が互いに近づく方向に力を加えながら、各係止片を係止孔にそれぞれ差し込んだ後挿入片を離すと、弾性片が互いに離れる方向にばね反力が働き、反射板が電気機器本体に保持される。
【特許文献１】特開平６−４３９２５号公報（第５頁−第６頁、及び、第１図−第５図）
【発明の開示】
【発明が解決しようとする課題】
【０００４】
上述の特許文献１に示した取付部品では、係止片が挿入片と同一方向に突出しているので、被取付部材を取付部品に取付けた状態で係止片に外れる方向の力が加わり、係止片が係止孔から外れやすくなる虞れがあった。また取付部品をねじやリベット等を用いずに固定する方法として溶接や圧着などがあるが、この場合固定を目的とした専用の設備が必要であり、製造資源や原料が増加するという問題があった。
【０００５】
本発明は上記問題点に鑑みて為されたものであり、その目的とするところは、製造資源や原料の増加を招くことなく、電気機器本体に対して強固に取付けることができる取付部品及びそれを用いた電気機器を提供することにある。
【課題を解決するための手段】
【０００６】
請求項１の発明は、先端側が被取付部材に当接し弾性力で被取付部材を保持する一対の弾性片と、両弾性片の基部を一体に連結する連結片と、一方の弾性片と連結片との連結部位に形成され電気機器本体に設けた固定孔に挿通される固定片と、他方の弾性片と連結片との連結部位から弾性片と反対方向に延出するとともに、延出部分の先端部が弾性片による弾性付勢方向と同一方向に突出し、固定片を固定孔に挿通し弾性付勢方向と同一方向に弾性片を撓ませた状態で電気機器本体に設けた係止孔に挿通されて、弾性片のばね反力で係止孔の端縁に係止する係止片とを備えたことを特徴とする。
【０００７】
請求項２の発明は、請求項１記載の取付部品と、取付部品が固定される電気機器本体と、電気機器本体に交換自在に取着された電気部品を電気機器本体との間に配置した状態で、取付部品を介して電気機器本体に取付けられる被取付部材とを備えたことを特徴とする。
【発明の効果】
【０００８】
請求項１の発明によれば、係止片を連結部位から弾性片と反対方向に延出させ、且つその先端部を弾性片による弾性付勢方向と同一方向に突出させているので、固定片を電気機器本体に固定させた状態で弾性付勢方向と同一方向に弾性片を撓ませながら係止片を電気機器本体に設けた係止孔に挿通した後弾性片を離すと、弾性片のばね反力によって係止片の先端部が係止孔の端縁に押付けられて、取付部品を電気機器本体に固定することができるという効果がある。さらに被取付部材を取付部品に保持させると、弾性片が弾性付勢方向と反対方向に撓められるので係止片の先端部が係止孔の端縁に押付けられて、取付部品を電気機器本体に強固に固定することができるという効果がある。また被取付部材を取付部品から取り外す際には、両弾性片に弾性付勢方向と反対方向の力を加えるだけで被取付部材の保持状態が解除されるので、被取付部材を取付部品から容易に取り外すことができるという効果がある。さらに被取付部材を取付部品から取り外す際に加える力の方向と反対方向の力が係止片の先端部に加わって係止孔の端縁に押付けられるので、被取付部材の取り外し時に取付部品が電気機器本体から外れることがないという効果がある。また取付部品を電気機器本体に固定する際に、固定を目的としたねじやリベット等の部材や溶接や圧着のための設備を用いていないので、使用材料や製造資源を削減することができるという効果がある。
【０００９】
請求項２の発明によれば、請求項１記載の取付部品を用いることで被取付部材を取付部品から容易に取り外すことができるので、電気機器本体と被取付部材との間に配置された電気部品を容易に交換することができるという効果がある。
【発明を実施するための最良の形態】
【００１０】
以下に本発明の実施の形態を図１〜図３に基づいて説明する。本発明に係る取付部品Ｂは、被取付部品Ａを保持して電気機器Ｃに固定するために用いられる。
【００１１】
まず、電気機器Ｃを図２（ａ）及び図３に基づいて説明する。電気機器Ｃは例えば天井面に埋込配設される照明器具であり、下面が開口した細長い箱形状の電気機器本体１３を備えている。電気機器本体１３の上側には点灯回路（図示せず）を収納した回路ブロック（図示せず）が取付けられている。また電気機器本体１３の天板９には、長手方向の両側部にそれぞれ固定孔１０及び係止孔１１が幅方向に並べて設けられている。この電気機器Ｃには図３に示すように、後述の被取付部材Ａの反射板７を間にして電気部品Ｄ、例えば直管型の一対の蛍光灯１４がソケット（図示せず）を介して取り付けられており、その下側にはグレア等を防止する遮光板８が配置されている。
【００１２】
次に、被取付部材Ａを図１及び図３に基づいて説明する。被取付部材Ａは、長尺の板金を断面Ｖ字状に折曲形成した反射板７を備えており、反射板７の各傾斜面には後述する取付部品Ｂに設けた一対の保持部１５に対応する部位に保持部１５が挿入される挿入孔（図示せず）が設けられている。また反射板７の下端には矩形板状の遮光板８が反射板７の長手方向に沿って等間隔に複数取付けられている。
【００１３】
ここで、本発明に係る取付部品Ｂを図１に基づいて説明する。取付部品Ｂは一端側が互いに離れる方向に被取付部材Ａを付勢する一対の弾性片１を備えており、各弾性片１の一端側からＬ字状の保持片３が外側に向かって形成されている。さらに各保持片３の先端部から反射板７の傾斜に合わせて内側に向かって矩形板状の傾斜片４が形成されており、これらの保持片３と傾斜片４とで保持部１５を構成している。また各弾性片１の他端側は連結片２により一体に連結されている。さらに一方の弾性片１と連結片２との連結部位に電気機器Ｃの天板９に設けた固定孔１０に固定されるく字状の固定片５が連結片２の一部を切り起こして形成されている。また他方の弾性片１と連結片２との連結部位からは、弾性片１と反対方向に延出するとともに、延出部分の先端側が弾性片１による弾性付勢方向と同一方向に突出するＵ字状の係止片６が連結片２の一部を切り起こして形成されている。
【００１４】
次に、取付部品Ｂを用いて被取付部材Ａを電気機器Ｃに取付ける方法について図１〜図３に基づいて説明する。まず図２（ｂ）に示すように、取付部品Ｂの固定片５を電気機器Ｃの天板９に設けた固定孔１０に差し込む。そして図２（ｃ）に示すように、固定片５を固定孔１０に引掛けた状態で、両保持部１５が互いに離れる方向に弾性片１を広げて、連結片２を撓ませながら係止片６を係止孔１１に押し込んだ後弾性片１を離すと、図２（ｄ）に示すように、各保持部１５が互いに近づく方向にばね反力が働き、このばね反力の付勢方向と反対向きの力が係止片６の先端部に付勢されて係止孔１１の端縁に押付けられ、取付部品Ｂが電気機器Ｃに固定される。次に図１に示すように、遮光板８が取付けられた反射板７をその内面側から取付部品Ｂに近づけ、各傾斜片４を反射板７の各傾斜面に当接させた状態で反射板７を押し込んでいくと、各弾性片１が互いに近づく方向に撓められる。そして反射板７をさらに押し込むと、各保持部１５が反射板７に設けた挿入孔に係止し、保持部１５が互いに離れる方向に働くばね反力で被取付部材Ａが取付部品Ｂに保持される。この時被取付部材Ａに両弾性片１が当接することで、両弾性片１が弾性付勢方向と反対方向に撓められるので、係止片６の先端部が係止孔１１の端縁に押付けられて、取付部品Ｂが電気機器本体Ｃに強固に固定される。
【００１５】
尚、電気機器Ｃに被取付部材Ａを取付けた状態で両保持部１５に互いに近づく方向の力を加えるだけで被取付部材Ａの保持状態が解除されるので、被取付部材Ａを取付部品Ｂから容易に取り外すことができる。
【００１６】
上述のように、係止片６を弾性片１と連結片２との連結部位から弾性片１と反対方向に延出させ、且つその先端部を各弾性片１による弾性付勢方向と同一方向に突出させているので、固定片５を電気機器Ｃの天板９に設けた固定孔１０に固定させた状態で弾性付勢方向と同一方向に弾性片１を撓ませながら係止片６を係止孔１１に挿通した後弾性片１を離すと、弾性片のばね反力によって係止片６の先端部が係止孔１１の端縁に押付けられて、取付部品Ｂを電気機器Ｃに強固に固定することができる。さらに被取付部材Ａを取付部品Ｂに保持させると、両弾性片１が弾性付勢方向と反対方向に撓められるので、係止片６の先端部が係止孔１１の端縁に押付けられて、取付部品Ｂを電気機器Ｃに強固に固定することができる。
【００１７】
また被取付部材Ａを取付部品Ｂから取り外す際には、両保持部１５に互いに近づく方向の力を加えるだけで被取付部材Ａの保持状態が解除されるので、被取付部材Ａを取付部品Ｂから容易に取り外すことができる。さらに被取付部材Ａを取付部品Ｂから取り外す際に力を加えた方向と反対向きの力が係止片６の先端部に加わって係止孔１１の端縁に押付けられるので、被取付部材の取り外し時に取付部品Ｂが電気機器本体Ｃから外れることがない。
【００１８】
また蛍光灯１４を交換する際には、本実施形態の取付部品Ｂを用いることで被取付部材Ａを取付部品Ｂから容易に取り外すことができるので、電気機器Ｃと被取付部材Ａとの間に配置された蛍光灯１４を容易に交換することができる。
【００１９】
さらに取付部品Ｂを電気機器Ｃに固定する際に、固定を目的としたねじやリベット等の部材や溶接や圧着のための設備を用いていないので、使用材料や製造資源を削減することができる。
【００２０】
尚、本実施形態では、弾性片１の先端側を外側に突出させて保持部１５を形成しているが、弾性片１の先端側の形状や弾性付勢方向は本実施形態に限定されるものではなく、弾性片１の先端側が互いに近づく方向に被取付部材Ａを付勢して保持してもよいし、弾性片１の先端側が被取付部材Ａに当接していればよい。また本実施形態では、取付部品Ｂを用いる電気機器Ｃとして照明器具を例に説明したが、電気機器Ｃは本実施形態に限定されるものではなく、被取付部材Ａを取付部品Ｂを介して電気機器本体に取付けられるものであればよい。
【図面の簡単な説明】
【００２１】
【図１】本実施形態の取付部品を電気機器本体に取付け、被取付部材を保持させた状態の正面図である。
【図２】（ａ）〜（ｄ）は同上の取付部品を電気機器本体に取付ける方法を説明する説明図である。
【図３】（ａ）は同上の取付部品を用いた照明器具の分解斜視図である。（ｂ）は同上の取付部品を用いた照明器具の外観斜視図である。
【図４】（ａ）は従来例の取付部品を用いて被取付部材を電気機器本体に保持させる方法を説明する説明図である。（ｂ）は同上の取付部品を用いて被取付部材を電気機器本体に保持させた状態の正面図である。
【符号の説明】
【００２２】
１    弾性片
２    連結片
５    固定片
６    係止片
９    天板
Ａ    被取付部材
Ｂ    取付部品
Ｃ    電気機器
【図１】
0004673783.tif 000002
【図２】
0004673783.tif 000003
【図３】
0004673783.tif 000004
【図４】
0004673783.tif 000005